(57)【要約】【課題】レンズ部３又はフロントフレーム４が浮いた状態で掛ける眼鏡を、長時間安定して固定するために、側頭，耳の周縁，耳朶の表裏面に当接しても実装感が良い眼鏡にすることを課題としている。【解決手段】ブリッジ１６を介して、下向き傾斜の鼻パッドを省略して形成されているレンズ部３，３又はフロントフレーム４と、このレンズ部３，３又はフロントフレーム４の両脇のヨロイとを介して、延長されているテンプル２，２の後端にリング状体とのモダン１を取り受け、このモダン１，１に耳朶５，５の表面に当接する保持体９，９を取り付け、この耳朶５，５の裏面のモダン１，１の位置に、保持体９，９と協働する挟持ストッパー２８，２８が設けられている構成である。【特許請求の範囲】
【請求項１】
ブリッジ（１６）を介して、下向き傾斜の鼻パッドを省略して形成されているレンズ部（３，３）又はフロントフレーム（４）と、このレンズ部（３，３）又はフロントフレーム（４）の両脇のヨロイとを介して、延長されているテンプル（２，２）の後にモダン（１，１）を取り付け、このモダン（１，１）を、耳殻（７，７）の外側の形状に沿わせるとともに、その終端が耳朶（５，５）を避けるように前方に湾曲され、その後、このモダン（１，１）が上方に延設されて上端と接合されることにより、このモダン（１，１）がリング状体と成されていて、このモダン（１，１）に前記耳朶（５，５）の表面に当接する保持体（９，９）を取り付け、この耳朶（５，５）の裏面の前記モダン（１，１）の位置に、前記保持体（９，９）と協働して挟持ストッパー（２８，２８）が設けられていることを特徴とする眼鏡。
【請求項２】
前記モダン（１，１）の下端部に取り付けた前記保持体（９，９）と前記挟持ストッパー（２８，２８）が、前記耳朶（５，５）を挟持するようにバネ（２９，２９）で付勢されていることを特徴とする請求項１記載の眼鏡。
【請求項３】
前記テンプル（２，２）の後端又は前記モダン（１，１）の上端又は前記テンプル（２，２）と前記モダン（１，１）との間に、固定体（６，６）が設けられていることを特徴とする請求項１又は２記載の眼鏡。
【請求項４】
前記モダン（１，１）の上端が、前記テンプル（２，２）の後に回動自在に軸支されていて、前記モダン（１，１）が前記テンプル（２，２）に折り重なる方向に、折り畳めるように成されていることを特徴とする請求項１〜３の何れかに記記載の眼鏡。
【請求項５】
前記レンズ部（３，３）又は前記フロントフレーム（４）又は前記ブリッジ（１６）に、パッド本体（１７，１７）付アーム（１８，１８）又は一体型パッド（１９，１９）が接合され、このパッド本体（１７，１７）付アーム（１８，１８）又は一体型パッド（１９，１９）が、鼻根（２２）に平行な方向に当接するように又は鼻根（２２）の前方斜め上向きの位置に当接されるように、ブリッジ（１６）又はフロントフレーム（４）の延在方向に対して直角に又は上向きに傾斜して設けられていることを特徴とする請求項１〜４の何れかに記載の眼鏡。
【請求項６】
前記テンプル（２，２）と前記モダン（１，１）との間及び／又はパッド本体（１７，１７）付アーム（１８，１８）又は一体型パッド（１９，１９）に、角膜頂点間距離が調整可能な調整機構（８，８）が設けられていることを特徴とする請求項１〜５の何れかに記載の眼鏡。
【請求項７】
前記モダン（１，１）に、耳珠（１０，１０）に当接する耳珠当接体（２０，２０），補聴器（１１，１１），イヤホーン（１２，１２），装飾品（１３，１３）の少なくとも一つが取り付けられていることを特徴とする請求項１〜６の何れかに記載の眼鏡。
【発明の詳細な説明】
【技術分野】
【０００１】
本発明は、レンズ部、フロントフレームが浮いた状態で安定して掛けられる眼鏡に関する。
【背景技術】
【０００２】
従来の眼鏡は、レンズ部の重量が前方下向き傾斜の鼻パッドに押圧として掛かるように成されていて、この鼻パッドとへ字状のモダンとが互いに引き合うようにして固定されている。そのためレンズ部の重量が鼻の両側の柔らかい皮膚面を押圧し、この眼鏡を長期間掛けた場合、鼻パッドが当接した部分は変色して跡が残る。そこで、出願人は鼻パッドが顔に触れずに浮いた状態でかけることができる眼鏡を研究、開発し、複数件の特許を取得し、複数件の特許を出願している。
【先行技術文献】
【特許文献】
【０００３】
【特許文献１】特許第５１９９５１１号
【特許文献２】特許第５１９９５０９号
【特許文献３】特許第４８２４８３８号
【特許文献４】特願２０１３−１０１９４７
【特許文献５】特願２０１３−１０１９４８
【特許文献６】特願２０１３−１２６１８８
【０００４】
特許文献１は、出願人が先に取得している発明の名称「眼鏡」特許第５１９９５１１号であり、下向き傾斜の鼻パッド１７を省略して形成されているレンズ部６又はフロントフレーム４と、このレンズ部６又はフロントフレーム４の両脇のヨロイとを介して、延長されているテンプル１０の後に、モダン７が耳殻１３の外側の形状に沿わせて延長されており、その終端部は耳朶１４を避けるように前方に湾曲されており、このモダン７の終端部の最後尾には、メガネを固定するための保持体１５が設けられていて、この保持体１５が耳珠１６の表裏面に当接した形状に成されていて、テンプル１０に連結部材１１を介するか、介せずして、モダン７を固定するか、又は折り畳めるモダン７を取り付けた眼鏡であって、眼鏡のレンズフレーム５，５又はレンズ６，６の内側上方角近傍又はブリッジ２０又はフロントフレーム４に、パッド本体１，１付アーム２，２又は一体型パッド３，３が接合され、このパッド本体１，１又は一体型パッド３，３が、鼻根８に平行な方向に当接するように又は鼻根８の前方斜め上向きの位置に当接されるように、ブリッジ２０又はフロントフレーム４の延在方向に対して、直角に又は上向きに傾斜して設けられている構成である。
【０００５】
特許文献２は、出願人が先に取得している発明の名称「折り畳めるモダン」特許第５１９９５０９号であり、鼻パッド無しメガネのテンプル３、３の端部に、連結部材９、９を固定又は摺動自在に取り付け、この連結部材９，９に、頭の形状に沿って斜め上方に延設した固定具６，６の下方端が取り付けられ、この連結部材９，９に、耳殻４，４の外側の形状に沿わせて延長したモダン１，１が、耳朶５，５を避けるように前方に湾曲されていて、このモダン１，１の終端部の最後尾に、メガネを固定するための保持体２，２が、耳の耳珠７，７の表裏面に当接するように取り付けられ、このモダン１，１の上方端が、回動自在に軸支されていて、前記テンプル３，３に折り重なる方向に、折り畳めるように成されている構成である。
【０００６】
特許文献３は、出願人が先に取得している発明の名称「耳つぼメガネ」特許第４８２４８３８号であり、鼻パッドを取り外し、レンズ部が浮いた状態でかけることができるメガネである。一個又は二個のレンズがパッドを省略して形成されているレンズ部１１，１１と、このレンズ部１１，１１の両脇のヨロイ２，２とを介して、延長されているテンプル４，４の後に、モダン３，３が結合されているメガネであって、前記モダン３，３が耳殻２０，２０の外側の形状に沿わせて延長されており、その終端部は耳朶５，５を避けるように前方に湾曲されており、このモダン３，３の終端部の最後尾には、メガネを固定するための保持体７，７が設けられていて、この保持体７，７が耳珠１，１の表裏面に当接した形状に成されている構成である。
【０００７】
特許文献４の特願２０１３−１０１９４７は出願人が先に出願している。ブリッジ１６を介して、下向き傾斜の鼻パッドを省略して形成されているレンズ部３，３又はフロントフレーム４と、このレンズ部３，３又はフロントフレーム４の両脇のヨロイとを介して、延長されているテンプル２，２の後にモダン１，１を取り付け、頭の形状に沿って斜め上方に延設した固定具６，６の下方端を、前記モダン１，１の上端に取り付け、耳殻７，７の外側の形状に沿わせて延長した前記モダン１，１が、耳朶５，５を避けるように前方に湾曲され、このモダン１，１の最終端に保持体９，９を取り付け、この保持体９，９が耳朶５，５に当接するように成されていて、この耳朶５，５の裏側の前記モダン１，１に、ストッパー２８，２８が設けられている構成である。
【０００８】
特許文献５の特願２０１３−１０１９４８は出願人が先に出願している。ブリッジ１６を介して、下向き傾斜の鼻パッドを省略して形成されているレンズ部３，３又はフロントフレーム４と、このレンズ部３，３又はフロントフレーム４の両脇のヨロイとを介して、延長されているテンプル２，２の後にモダン１，１を取り付け、頭の形状に沿って斜め上方に延設した固定具６，６の下方端を、前記モダン１，１の上端に取り付け、耳殻７，７の外側の形状に沿わせて延長した前記モダン１，１が、耳朶５，５を避けるように前方に湾曲され、その後、このモダン１，１が上方に延設され、このモダン１，１の最終端に保持体９，９を取り付け、この保持体９，９が耳珠１０，１０横の側頭に当接するように成されている構成である。
【０００９】
特許文献６の特願２０１３−１２６１８８は出願人が先に出願している。ブリッジ１６を介して、下向き傾斜の鼻パッドを省略して形成されているレンズ部３，３又はフロントフレーム４と、このレンズ部３，３又はフロントフレーム４の両脇のヨロイとを介して、延長されているテンプル２，２の後にモダン１，１を取り付け、このモダン１，１に、耳殻７，７の外側の形状に沿わせるとともに、その終端が耳朶５，５を避けるように前方に湾曲され、このモダン１，１の最終端に保持体９，９を取り付け、この保持体９，９が前記耳朶５，５に当接し、この耳朶５，５の裏面の前記モダン１，１の位置に、前記保持体９，９と協働して挟持ストッパー２８，２８が設けられている
【００１０】
本発明は、メガネを安定して固定するために、モダン１，１がリング状体と成されていて、このモダン１，１に耳朶５，５の表面に当接する保持体９，９を取り付け、この耳朶５，５の裏面のモダン１，１の位置に、保持体９，９と協働して挟持ストッパー２８，２８が設けられている点が、上記の特許文献１〜６との相違点であり、対比説明のできる文献ではありません。特許文献４，５，６は未公開である。
【発明の概要】
【発明が解決しようとする課題】
【００１１】
レンズ部３又はフロントフレーム４が浮いた状態で掛ける眼鏡を、長時間安定して固定するために、側頭，耳の周縁，耳朶の表裏面に当接しても実装感が良い眼鏡にすることを課題としている。
【課題を解決するための手段】
【００１２】
ブリッジ１６を介して、下向き傾斜の鼻パッドを省略して形成されているレンズ部３，３又はフロントフレーム４と、このレンズ部３，３又はフロントフレーム４の両脇のヨロイとを介して、延長されているテンプル２，２の後端にリング状体とのモダン１を取り受け、このモダン１，１に耳朶５，５の表面に当接する保持体９，９を取り付け、この耳朶５，５の裏面のモダン１，１の位置に、保持体９，９と協働して挟持ストッパー２８，２８が設けられている構成である。
【発明の効果】
【００１３】
本発明１の効果として、側頭に当接したテンプル２，２の後に、耳の周縁に当接しているリング状体のモダン１，１を取り付け、このモダン１，１に耳朶５，５の表面に当接する保持体９，９を取り付け、この耳朶５，５の裏面のモダン１，１の位置に、保持体９，９と協働して挟持ストッパー２８，２８が設けられているので、側頭に沿って当接しているモダン１，１が長く、押圧を分散することにより眼鏡を固定している。レンズ部３又はフロントフレーム４が顔面に触れずに浮いた状態で安定して掛けることができる。運動しても眼鏡がずれることはない。多種の機能を備えたメガネ型全製品に、本発明１を使用することにより、機能性や利便性が向上する。
【００１４】
本発明２の効果として、モダン１，１の最終端に取り付けた保持体９，９と挟持ストッパー２８，２８が、耳朶５，５を挟持するようにバネ２９，２９で付勢されているので、適度の押圧で耳朶５を挟持することができる。眼鏡を着脱する時は保持体９，９が外側に開くので利便性が良い。
【００１５】
本発明３の効果として、テンプル２，２の後端又はモダン１，１の上端又はテンプル２，２とモダン１，１との間に、固定体２９，２９が設けられているので、この固定体を上下方向に、前後方向に摺動可能に設けることにより微調整が可能である。眼鏡を後方にずれることを防止している。
【００１６】
本発明４の効果として、モダン１，１の上端が、テンプル２，２の後に回動自在に軸支されていて、モダン１，１がテンプル２，２に折り重なる方向に、折り畳めるように成されていることにより、従来のメガネと同じサイズにコンパクトにして、便利に使用することができる。
【００１７】
本発明５の効果として、レンズ部３，３又はフロントフレーム４の内側上方角近傍又はブリッジ１６に、鼻根２２に平行な方向に当接するように又は鼻根２２の前方斜め上向きの位置に当接するように、パッド本体１７，１７付アーム１８，１８又は一体型パッド１９，１９を、ブリッジ１６又はフロントフレーム４の延在方向に対して直角に又は上向きに傾斜して設けることにより、眼鏡が浮いた状態で鼻根２２に僅かに接触して、眼鏡を前後方向、左右方向にずれないように支持することができる。
【００１８】
本発明６の効果として、テンプル２，２とモダン１，１との間及び／又はパッド本体１７，１７付アーム１８，１８又は一体型パッド１９，１９に調整機構８を取り付け、視力矯正の為に、レンズ部３，３と目との間の角膜頂点間距離を、正確に調整して決めることができる。
【００１９】
本発明７の効果として、モダン１の耳珠１０横に、耳の耳珠１０を包み込むように、耳つぼに当接する形状の耳珠当接体２０を取り付け、この耳珠当接体２０に天然鉱石，突起部を設けることにより、耳つぼを刺激し気の流れをスムーズにして、メガネを掛けている間に耳つぼ効果が得られる。また、モダン１に補聴器１１，イヤホーン１２を取り付けることによって、メガネと補聴器１１，イヤホーン１２を同時に使用することができる。ピアスの代わりに、モダン１に装飾品１３を取り付けてお洒落を楽しむことができる。装飾品１３は保持体９、モダン１を隠し前方から見た場合、ファッション性に優れた眼鏡になる。
【図面の簡単な説明】
【００２０】
【図１】本発明１の実施の形態の一例を示す側面図、斜視図である。
【図２】本発明１の実施の形態の一例を示す斜視図、側面図である。
【図３】本発明２の実施の形態の一例を示す斜視図である。
【図４】本発明３の実施の形態の一例を示す側面図である。
【図５】本発明４の実施の形態の一例を示す側面図、正面図である。
【図６】本発明５の実施の形態の一例を示す斜視図である。
【図７】本発明５の実施の形態の一例を示す正面図、斜視図である。
【図８】本発明６の実施の形態の一例を示す説明図である。
【図９】本発明６の実施の形態の一例を示す斜視図である。
【図１０】本発明７の実施の形態の一例を示す斜視図である。
【発明を実施するための形態】
【００２１】
本発明は、テンプル２，２の後端に耳の周縁に設けたリング状体のモダン１，１を取り付け、このモダン１，１に耳朶５，５の表面に当接する保持体９，９と、この耳朶５，５の裏面のモダン１，１の位置に、保持体９，９と協働して挟持ストッパー２８，２８を設けることにより、眼鏡を浮いた状態で保持している。眼鏡のレンズ部３側を前方とし、モダン１側を後方としている。以下、本発明の実施の形態について、図面を参照して説明する。
【実施例１】
【００２２】
そこで、本発明の請求項１記載の眼鏡（以下、本発明１と言う）は、ブリッジ１６を介して、下向き傾斜の鼻パッドを省略して形成されているレンズ部３，３又はフロントフレーム４と、このレンズ部３，３又はフロントフレーム４の両脇のヨロイとを介して、延長されているテンプル２，２の後にモダン１，１を取り付け、このモダン１，１を、耳殻７，７の外側の形状に沿わせるとともに、その終端が耳朶５，５を避けるように前方に湾曲され、その後、このモダン１，１が上方に延設されて上端と接合されることにより、このモダン１，１がリング状体と成されていて、このモダン１，１に前記耳朶５，５の表面に当接する保持体９，９を取り付け、この耳朶５，５の裏面の前記モダン１，１の位置に、前記保持体９，９と協働して挟持ストッパー２８，２８が設けられていることを特徴としている。
【００２３】
実施の形態の一例として、第１ａ図は、本発明１の眼鏡を掛けている人の側面図であり、第１ｂ図は、保持体９，９と協働して挟持ストッパー２８，２８を取り付けた眼鏡の斜視図である。ブリッジ１６を介して、下向き傾斜の鼻パッドを省略して形成されているレンズ部３，３と、このレンズ部３，３の両脇のヨロイとを介して、延長されているテンプル２，２の後にモダン１，１を取り付け、このモダン１，１を、耳殻７，７の外側の形状に沿わせるとともに、その終端が耳朶５，５を避けるように前方に湾曲され、その後、このモダン１，１が上方に延設されて上端と接合されることにより、リング状体と成されていて、このモダン１，１に耳朶５，５の表面に当接する保持体９，９を取り付け、この耳朶５，５の裏面の前記モダン１，１の位置に、前記保持体９，９と協働して挟持ストッパー２８，２８が設けられていることを示している。
【００２４】
本発明１のモダン１が、縦長のリング状体と成されていることは、モダン１が耳周縁の側頭に当接する部分の長さが最も長くなり、テンプル２の弾性によるモダン１の押圧を分散することができる。そして、このモダン１に耳朶５の表面に当接する保持体９を取り付け、この耳朶５の裏面のモダン１の位置に、保持体９と協働して挟持ストッパー２８を設けていることは、保持体９と挟持ストッパー２８が耳朶５を挟持する表面積が大きく、耳朶５は痛みを感じにくい場所であり、眼鏡の形状からしてレンズ部３から最も遠い位置であり、モダン１の上端を支点とした場合、眼鏡を保持する場所として適している。
【００２５】
眼鏡を掛けた人を前方から見た場合、モダン１は耳珠１０の横に縦方向の直線状にシンプルに見える。僅かに突出した耳珠１０横は窪んでいるので、モダン１はその位置で固定される。耳朶５に当接している保持体５は、表面のデザインを良くすることによりイヤリング、ピアスに間違える。髪の毛の多い人の場合、どのように眼鏡を支持して、浮かしているか分からない。下向き傾斜の鼻パッドを省略しているので、レンズ部３がスッキリ見えてファッション性が向上する。
【００２６】
実施の形態の一例として、第２ａ図は、フロントフレーム４にディスプレイ１４を取り付けたメガネタイプのウェアラブル機器１５の斜視図であり、第３ｂ図は、ウェアラブル機器１５を取り付けた眼鏡を掛けている人の側面図である。下向き傾斜の鼻パッドを省略して形成されているフロントフレーム４の両脇のヨロイを介して、延長されているテンプル２，２の後にリング状体のモダン１，１を取り付け、このモダン１，１に耳朶５，５の表面に当接する保持体９，９を取り付け、この耳朶５，５の裏面のモダン１，１の位置に、保持体９，９と協働して挟持ストッパー２８，２８が設けられていることを示している。
【００２７】
ウエァラブル機器１５は現在開発中であり、軽薄短小に改良されるが、従来の下向き傾斜の鼻パッドのメガネタイプに取り付けた場合は、ウエァラブル機器１５の重量がレンズ部３，フロントフレーム４にかかり、鼻根２２への負担が非常に大きい。しかし、本発明１のフロントフレーム４にウエァラブル機器１５を取り付けた場合、保持体９と挟持ストッパーで挟持して固定している耳朶５は、痛みを感じにくい場所であり、エァラブル機器１５から最も遠い位置であり、モダン１の上端を支点とした場合、ウエァラブル機器１５を保持する場所として適している。リング状体のモダン１は耳周縁の側頭に当接する部分の長さも縦長で長く、テンプル２の弾性によるモダン１の押圧を分散することができるので、長時間に亘り安定してウエァラブル機器１５を装着することができる。
【００２８】
ウェアラブル機器１５とは、カメラ，マイク，スピーカー，インターネット接続を備え、音声操作でＡＲメガネをかけて手ぶらで歩きながら、スケジュールや天気予報、交通情報を調べたり、目的地へのルートを確認したり、友人とメールやビデオ通話で連絡を取り合ったり、ユーザーの健康状態を知らせてくれたり、日常生活の中で目にしている情報をディスプレイ１４上に表示することができる。ウェアラブルコンピューターは、出力デバイスであるディスプレイ１４を目の近くに付けるため、メガネのような形状をしている。
【００２９】
本発明１で言う眼鏡は，老眼鏡，度付きメガネ，ＴＶ・映画用３Ｄメガネ，伊達メガネ，サングラス，風防メガネ，カメラを取り付けたメガネ，拡大鏡を入れたメガネ，ライトを取り付けたメガネ，度数調整可能な液体レンズメガネ，剣道用メガネ，ウェアラブル機器１５を取り付けたメガネ，スクリーンに表示される画像を観察するための画像観察用メガネ，拡張現実（ＡＲ）機能を備えたメガネ，ヘッドバンドを取り付けた手術用メガネなどである。
【００３０】
実施の形態の一例として、本発明１の眼鏡の形状として、レンズ部３，３又はフロントフレーム４の両脇のヨロイを介して、延長されているテンプル２，２は折り畳めるように成されているが、レンズ部３，３又はフロントフレーム４の両脇のヨロイを取り付けずに一体成型して製作することもできる。
【実施例２】
【００３１】
本発明の請求項２記載の眼鏡（以下、本発明２と言う）は、前記モダン１，１の下端部に取り付けた前記保持体９，９と前記挟持ストッパー２８，２８が、前記耳朶５，５を挟持するようにバネ２９，２９で付勢されていることを特徴としている。
【００３２】
実施の形態の一例として、第３ａ図は、本発明２のモダン１の下端部に取り付けた保持体９と挟持ストッパー２８が、耳朶５を挟持するようにバネ２９で付勢していることを示す斜視図であり、第３ｂ図は、本発明２の保持体９と挟持ストッパー２８を取り付けたモダン１の斜視図である。
【００３３】
耳周辺に当接した縦長のリング状体のモダン１は、当接部分が長く弾性体のテンプル２によって、適度な押圧で側頭に保持する。そして、このモダン１の下端部に取り付けた保持体９と挟持ストッパー２８は、耳朶５に挟持している表面積は大きく、バネ２９の付勢する僅かな力が加わることにより、耳朶５を挟持するので、眼鏡がズレルことなく確実に固定している。
【００３４】
実施の形態の一例として、第３ｃ図は、本発明２の保持体９を外側に曲げたことを示す斜視図であり、第３ｂ図は、本発明２の保持体９を外側に曲げたモダン１の斜視図である。眼鏡を着脱する時に、指で僅かに動かすことにより利便性が良い。
【実施例３】
【００３５】
本発明の請求項３記載の眼鏡（以下、本発明３と言う）は、前記テンプル２，２の後端又は前記モダン１，１の上端又は前記テンプル２，２と前記モダン１，１との間に、固定体６，６が設けられていることを特徴としている。
【００３６】
実施の形態の一例として、第４ａ図は、本発明３の固定体６を取り付けたテンプル２を耳にかけていることを示す側面図であり、第４ｂ図は、本発明３の固定体６を取り付けたモダン１の側面図である。固定体６を左右上下方向に摺動可能に又は交換可能に設けることができる。固定体６は眼鏡の微妙な位置の調整が可能であり、適宜の位置に固定体６を固定することにより、眼鏡のレンズ部３は前後方向又は上下方向には移動することはない。よって、角膜頂点間距離が固定され安定して眼鏡が保持されることになる。固定体６は小さな部品であるが、その作用効果は大きく、着脱時には影響なく簡単に使用することができる。
【実施例４】
【００３７】
本発明の請求項４記載の眼鏡（以下、本発明４と言う）は、前記モダン１，１の上端が、前記テンプル２，２の後に回動自在に軸支されていて、前記モダン１，１が前記テンプル２，２に折り重なる方向に、折り畳めるように成されていることを特徴としている。
【００３８】
「テンプルに折り畳めるモダンを取り付けた眼鏡」とは、出願人が先に取得している特許第５１９９５０９号発明の名称「折り畳めるモダン」である。特許第４８２４８３８号の「耳つぼメガネ」のテンプルの端部に、連結部材を固定又は摺動自在に取り付け、この連結部材に、頭の形状に沿って斜め上方に延設した固定具の下方端が取り付けられ、モダンの上方端が、回動自在に軸支されていて、テンプルに折り重なる方向に、折り畳めるように成されている構成である。
【００３９】
実施の形態の一例として、第５ａ図は、本発明４のモダン１を連結部材２５に設けた軸２４により回動自在にした眼鏡の側面図であり、第４ｂ図は、モダン１を略９０度テンプル２に折り重なる方向に、折り畳んだ側面図であり、第４ｃ図は、モダン１をテンプル２に折り重なる方向に折り畳んだ後、テンプル２，２を内側のレンズ部３，３側に折り畳んだ状態を示す正面図である。
【００４０】
かかる構成により、眼鏡を仕舞う時、テンプル２を内側のレンズ部３に重なるように閉じて、モダン１を上方に押し上げ、テンプル２に折り重なる方向に略９０度に曲げて折り畳むことによって、従来のメガネと同じ大きさとなりケースに収まる。連結部材２５の軸２４部分において弾性的に係合し、その展開状態を保持されている。
【実施例５】
【００４１】
本発明の請求項５記載の眼鏡（以下、本発明５と言う）は、前記レンズ部３，３又は前記フロントフレーム４又は前記ブリッジ１６に、パッド本体１７，１７付アーム１８，１８又は一体型パッド１９，１９が接合され、このパッド本体１７，１７付アーム１８，１８又は一体型パッド１９，１９が、鼻根２２に平行な方向に当接するように又は鼻根２２の前方斜め上向きの位置に当接されるように、ブリッジ１６又はフロントフレーム４の延在方向に対して直角に又は上向きに傾斜して設けられていることを特徴としている。
【００４２】
出願人が先に発明の名称「眼鏡」特許第５１９９５１１号を取得している。特許第４８２４８３８号の「耳つぼメガネ」の眼鏡のレンズフレーム５，５又はレンズ６，６又はブリッジ２０又はフロントフレーム４に、パッド本体１，１付アーム２，２又は一体型パッド３，３が接合され、このパッド本体１，１又は一体型パッド３，３が、鼻根８に平行な方向に当接するように又は鼻根８の前方斜め上向きの位置に当接されるように、ブリッジ２０又はフロントフレーム４の延在方向に対して、直角に又は上向きに傾斜して設けられていることで、眼鏡を顔面に安定させるように成されている構成である。
【００４３】
実施の形態の一例として、第６ａ図は本発明５のパッド本体１７，１７付アーム１８，１８を取り付けた眼鏡の拡大図である。眼鏡のレンズフレーム２３の内側端辺上方にアーム１８，１８の一方端を取り付け、このアーム１８，１８の他方端にパッド本体１７，１７を取り付けたことを示している。このパッド本体１７の皮膚に当接する内側は鉛直状に形成され、鼻根２２に鉛直状に当接するので、皮膚に接する部分の形状は凹面になっている。
【００４４】
実施の形態の一例として、第６ｂ図は本発明５の一体型パッド１９をブリッジ１６に取り付けた眼鏡の拡大図である。眼鏡のブリッジ１６の内側にＹ字状の一体型パッド１９の一方端を取り付け、この一体型パッド１９の他方端の形状がパッド形状に成されていることを示している。このパッドの形状はメガネをかけた時、このパッドに接することにより、左右方向と後方向にずれないようにしている。メガネの位置が顔の中心になっていることを確かめる役割をしている。
【００４５】
実施の形態の一例として、第７ａ図は本発明５の眼鏡を掛けている人の平面図である。眼鏡のブリッジ１６に、Ｙ字形の一体型パッド１９が接合され、この一体型パッド１９が、鼻根２２に鉛直に鼻根２２を挟んで当接することにより、左右方向と後方向にずれないので、眼鏡を顔面に安定させて掛けられることを示している。
【００４６】
実施の形態の一例として、第７ｂ図は本発明５のパッド本体１７，１７付アーム１８，１８を取り付けたメガネタイプのウェアラブル機器１５を掛けている人の斜視図である。眼鏡のブリッジ１６に、パッド本体１７，１７付アーム１８，１８が接合され、このパッド本体１７，１７付アーム１８，１８が、鼻根２２を上向きに挟んで当接することにより、左右方向と後方向にずれない様に支持し、ウェアラブル機器１５を顔面に浮いた状態で安定させて掛けられることを示している。
【００４７】
本発明５のパッド本体１７，１７の表面を構成する曲面は、鼻根２２の表面にほぼ合致した曲率の曲面に成型している。メガネを顔に装着した時、パッド本体１７，１７を皮膚に押し当てメガネが顔の所定の位置に保持される。パッド本体１７，１７の表面は、鼻根２２の表面にほぼ合致した曲面に形成されているので、メガネからの荷重が掛かることはない。鼻根２２の表面にパッド本体１７，１７の跡が付くようなことはなく、快適な装着感が得られる。
【００４８】
本発明５のパッド本体１７，１７に取り付けられているアーム１８，１８を、柔らかい材質、線径の細い材料で形成し、パッド本体１７，１７に加わるレンズ部３，３からの動きに応じて弾性変形するようにできる。眼鏡を顔に装着した時に、レンズ部３，３からの荷重を感じることはなく、両アーム１８，１８が僅かに弾性変形することにより、両パッド本体１７，１７が鼻の側面に強く当たることは防止され、長時間に亘って快適な装着感が得られる。
【実施例６】
【００４９】
本発明の請求項６記載の眼鏡（以下、本発明６と言う）は、前記テンプル２，２と前記モダン１，１との間及び／又はパッド本体１７，１７付アーム１８，１８又は一体型パッド１９，１９に、角膜頂点間距離が調整可能な調整機構８，８が設けられていることを特徴としている。
【００５０】
実施の形態の一例として、第８ａ図は本発明６の調整機構８を示す側面図であり、第８ｂ図は第８ａ図のａａ線による断面図である。リング状体のモダン１を軸２４により回動自在に軸支した連結部材２５に、テンプル２の後端を摺動自在に挿入し、適宜の位置でネジ２６を締めて固定できることを示している。
【００５１】
実施の形態の一例として、第９ａ図は本発明６のパッド本体１７，１７付アーム１８，１８をレンズフレーム２３，２３の内側上端に取り付けたことを示す拡大図である。アーム１８，１８の略中間が内側に湾曲されている。この湾曲の大きさを調整してパッド本体１７，１７を装用者の顔面の正しい位置に当接することにより、鏡を見ずに眼鏡の中心を顔の中心に位置決めできる。
【００５２】
実施の形態の一例として、第９ｂ図は本発明６の一体型パッド１９をブリッジ１６に調整可能に取り付けた拡大図である。ネジ２６付筒体２７を調整機構８としてブリッジ１６に接合し、そのネジ２６付筒体２７の空孔部に一体型パッド１９を挿入し、適宜の位置でネジ２６を締めて前後方向が調整できる。また、一体型パッド１９のＹ字部を曲げることによって、メガネフレーム２３，２３を装用者の顔面の正しい角膜頂点間距離の位置に保持できる。
【実施例７】
【００５３】
本発明の請求項７記載の眼鏡（以下、本発明７と言う）は、前記モダン１，１に、耳珠１０，１０に当接する耳珠当接体２０，２０，補聴器１１，１１，イヤホーン１２，１２，装飾品１３，１３の少なくとも一つが取り付けられていることを特徴としている。
【００５４】
実施の形態の一例として、第１０ａ図は、本発明７の耳珠当接体２０が、モダン１から補助棒２１を介して、耳珠１０に当接している斜視図である。耳つぼの飢点を刺激して、耳つぼのダイエット効果がある。実施の形態の一例として、第１０ｂ図は、本発明１の保持体９と挟持ストッパー２８を取り付けたモダン１に、本発明７の骨伝導式の補聴器１１を設けた斜視図である。
【００５５】
実施の形態の一例として、第１０ｃ図は、本発明１の保持体９と挟持ストッパー２８を取り付けたモダン１に、本発明７のイヤホーン１２を、耳珠１０近傍のモダン１から補助棒２１を介して取り付けた斜視図である。実施の形態の一例として、第１０ｄ図は本発明７の装飾品１３を、モダン１や保持体９に取り付けた斜視図である。この装飾品１３によって外観から見えるモダン１や保持体９を隠すことができる。また、装飾品１３をモダン１や保持体９に取り付けて、イヤリングやピアスとしてお洒落を楽しむことができる。
【産業上の利用可能性】
【００５６】
以上のように、本発明の眼鏡は、前方下向き傾斜の鼻パッドを取り除き、テンプル２の後に、リング状体のモダン１を折り畳めるようにして設けることでコンパクトとなる。耳の周縁の頭側と保持体９と協働して挟持ストッパー２８を設けることにより、長期間眼鏡を掛けていても確実に固定され、鼻の横に跡が付いたり、皮膚の色が変色したりする事がない。鼻に重さを感じる事が無く、実装感が良く、浮いた状態で安定して掛けることができる。モダン１に取り付けた装飾品１３により、前方から見た場合、保持体９やモダン１は隠れる。本発明のメガネはファッション性、機能性に優れた眼鏡として適している。
【符号の説明】
【００５７】
１    モダン
２    テンプル
３    レンズ部
４    フロントフレーム
５    耳朶        
６    固定体
７    耳殻
８    調整機構
９    保持体
１０    耳珠
１１    補聴器
１２    イヤホーン
１３    装飾品
１４    ディスプレイ
１５    ウェアラブル機器
１６    ブリッジ
１７    パッド本体
１８    アーム
１９    一体型パッド
２０    つぼ当接体
２１    補助棒
２２    鼻根
２３    レンズフレーム
２４    軸
２５    連結部材
２６    ネジ
２７    筒体
２８    挟持ストッパー
２９    バネ  
【図１】
2015011248.tif 000002
【図２】
2015011248.tif 000003
【図３】
2015011248.tif 000004
【図４】
2015011248.tif 000005
【図５】
2015011248.tif 000006
【図６】
2015011248.tif 000007
【図７】
2015011248.tif 000008
【図８】
2015011248.tif 000009
【図９】
2015011248.tif 000010
【図１０】
2015011248.tif 000011
【手続補正書】
【提出日】平成25年8月14日(2013.8.14)
【手続補正１】
【補正対象書類名】明細書
【補正対象項目名】００１２
【補正方法】変更
【補正の内容】
【００１２】
ブリッジ１６を介して、下向き傾斜の鼻パッドを省略して形成されているレンズ部３，３又はフロントフレーム４と、このレンズ部３，３又はフロントフレーム４の両脇のヨロイとを介して、延長されているテンプル２，２の後端にリング状体とのモダン１を取り受け、このモダン１，１に耳朶５，５の表面に当接する保持体９，９を取り付け、この耳朶５，５の裏面のモダン１，１の位置に、保持体９，９と協働する挟持ストッパー２８，２８が設けられている構成である。
【手続補正２】
【補正対象書類名】明細書
【補正対象項目名】００１５
【補正方法】変更
【補正の内容】
【００１５】
本発明３の効果として、テンプル２，２の後端又はモダン１，１の上端又はテンプル２，２とモダン１，１との間に、固定体６，６が設けられているので、この固定体を上下方向に、前後方向に摺動可能に設けることにより微調整が可能である。眼鏡を後方にずれることを防止している。
【手続補正３】
【補正対象書類名】明細書
【補正対象項目名】００２２
【補正方法】変更
【補正の内容】
【００２２】
そこで、本発明の請求項１記載の眼鏡（以下、本発明１と言う）は、ブリッジ１６を介して、下向き傾斜の鼻パッドを省略して形成されているレンズ部３，３又はフロントフレーム４と、このレンズ部３，３又はフロントフレーム４の両脇のヨロイとを介して、延長されているテンプル２，２の後にモダン１，１を取り付け、このモダン１，１を、耳殻７，７の外側の形状に沿わせるとともに、その終端が耳朶５，５を避けるように前方に湾曲され、その後、このモダン１，１が上方に延設されて上端と接合されることにより、このモダン１，１がリング状体と成されていて、このモダン１，１に前記耳朶５，５の表面に当接する保持体９，９を取り付け、この耳朶５，５の裏面の前記モダン１，１の位置に、前記保持体９，９と協働する挟持ストッパー２８，２８が設けられていることを特徴としている。
【手続補正４】
【補正対象書類名】明細書
【補正対象項目名】００２３
【補正方法】変更
【補正の内容】
【００２３】
実施の形態の一例として、第１ａ図は、本発明１の眼鏡を掛けている人の側面図であり、第１ｂ図は、保持体９，９と協働して挟持ストッパー２８，２８を取り付けた眼鏡の斜視図である。ブリッジ１６を介して、下向き傾斜の鼻パッドを省略して形成されているレンズ部３，３と、このレンズ部３，３の両脇のヨロイとを介して、延長されているテンプル２，２の後にモダン１，１を取り付け、このモダン１，１を、耳殻７，７の外側の形状に沿わせるとともに、その終端が耳朶５，５を避けるように前方に湾曲され、その後、このモダン１，１が上方に延設されて上端と接合されることにより、リング状体と成されていて、このモダン１，１に耳朶５，５の表面に当接する保持体９，９を取り付け、この耳朶５，５の裏面の前記モダン１，１の位置に、前記保持体９，９と協働する挟持ストッパー２８，２８が設けられていることを示している。
【手続補正５】
【補正対象書類名】明細書
【補正対象項目名】００５６
【補正方法】変更
【補正の内容】
【００５６】
以上のように、本発明の眼鏡は、前方下向き傾斜の鼻パッドを取り除き、テンプル２の後に、リング状体のモダン１を折り畳めるようにして設けることでコンパクトとなる。耳の周縁の頭側と保持体９と協働する挟持ストッパー２８を設けることにより、長期間眼鏡を掛けていても確実に固定され、鼻の横に跡が付いたり、皮膚の色が変色したりする事がない。鼻に重さを感じる事が無く、実装感が良く、浮いた状態で安定して掛けることができる。モダン１に取り付けた装飾品１３により、前方から見た場合、保持体９やモダン１は隠れる。本発明のメガネはファッション性、機能性に優れた眼鏡として適している。
【手続補正６】
【補正対象書類名】特許請求の範囲
【補正対象項目名】請求項１
【補正方法】変更
【補正の内容】
【請求項１】
ブリッジ（１６）を介して、下向き傾斜の鼻パッドを省略して形成されているレンズ部（３，３）又はフロントフレーム（４）と、このレンズ部（３，３）又はフロントフレーム（４）の両脇のヨロイとを介して、延長されているテンプル（２，２）の後にモダン（１，１）を取り付け、このモダン（１，１）を、耳殻（７，７）の外側の形状に沿わせるとともに、その終端が耳朶（５，５）を避けるように前方に湾曲され、その後、このモダン（１，１）が上方に延設されて上端と接合されることにより、このモダン（１，１）がリング状体と成されていて、このモダン（１，１）に前記耳朶（５，５）の表面に当接する保持体（９，９）を取り付け、この耳朶（５，５）の裏面の前記モダン（１，１）の位置に、前記保持体（９，９）と協働する挟持ストッパー（２８，２８）が設けられていることを特徴とする眼鏡。